(57)【要約】【課題】駐輪場における自転車の貸し出しを自動化し駐輪場担当者の介在を不要とする。【解決手段】所有者端末１から駐輪場に止めた自転車の使用許可条件を駐輪場サーバ３に登録する手段と、借用者端末４から自転車の借用希望条件を駐輪場サーバ３に送信する手段と、駐輪場サーバ３が借用希望条件と使用許可条件とを照合し、借用希望条件を満たす使用許可条件が登録されていた場合に、自転車付帯装置２の解錠用暗証番号を借用者端末４に送信する手段と、借用者端末４から自転車付帯装置２に暗証番号を送信することにより自動解錠する手段と、借用者が自転車を乗り捨てるときに、借用者端末４から自転車付帯装置２に乗り捨て情報を送信し、自転車付帯装置２が位置情報を取得して駐輪場サーバ３に送信する手段と、駐輪場サーバ３が搬送業者端末５に乗り捨て位置情報を送信して駐輪場までの搬送を依頼する手段とを有する。【選択図】      図１
2005173993.tif 000002
【特許請求の範囲】
【請求項１】
駐輪場に止めた自転車の所有者が所有者端末から自転車の使用許可条件を駐輪場サーバに登録する登録手段と、借用希望者が借用者端末から自転車の借用希望条件を前記駐輪場サーバに送信する申請手段と、前記駐輪場サーバが前記借用希望条件と前記使用許可条件とを照合する照合手段と、前記借用希望条件を満たす使用許可条件が登録されていた場合に、該当自転車を固定している付帯装置の解錠用暗証番号を前記駐輪場サーバから前記借用者端末に送信する暗証番号通知手段と、前記借用者端末から前記付帯装置に前記暗証番号を送信することにより自動解錠する解錠手段とを有することを特徴とする駐輪場における自転車の有効活用システム。
【請求項２】
借用者が駐輪場に自転車を返却するときに、前記借用者端末から前記付帯装置に返却情報を送信し、前記付帯装置が位置情報を取得して前記駐輪場サーバに送信する返却位置情報通知手段と、前記駐輪場サーバが前記返却位置情報と駐輪場の位置情報とを照合する返却確認手段と、前記位置情報が一致した場合に自転車貸出料金の決済処理を行う決済手段とを、さらに有することを特徴とする請求項１記載の駐輪場における自転車の有効活用システム。
【請求項３】
前記照合手段は、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合することを特徴とする請求項１記載の駐輪場における自転車の有効活用システム。
【請求項４】
前記所有者端末，前記借用者端末，前記付帯装置と前記駐輪場サーバとはインターネットを介して接続され、前記借用者端末と前記付帯装置とは短距離無線通信を介して接続されることを特徴とする請求項１，２または３記載の駐輪場における自転車の有効活用システム。
【請求項５】
借用者が自転車を乗り捨てるときに、前記借用者端末から前記付帯装置に乗り捨て情報を送信し、前記付帯装置が位置情報を取得して前記駐輪場サーバに送信する乗り捨て位置通知手段と、前記駐輪場サーバが搬送業者端末に前記乗り捨て位置情報を送信して駐輪場までの搬送を依頼する搬送指示手段とを、さらに有することを特徴とする請求項１または３記載の駐輪場における自転車の有効活用システム。
【請求項６】
搬送業者が乗り捨て自転車を駐輪場に搬送し返却するときに、前記搬送業者端末から前記付帯装置に返却情報を送信し、前記付帯装置が位置情報を取得して前記駐輪場サーバに送信する返却位置情報通知手段と、前記駐輪場サーバが前記返却位置情報と駐輪場の位置情報とを照合する返却確認手段と、前記位置情報が一致した場合に自転車貸出料金の決済処理を行う決済手段とを、さらに有することを特徴とする請求項５記載の駐輪場における自転車の有効活用システム。
【請求項７】
前記所有者端末，前記借用者端末，前記搬送業者端末，前記付帯装置と前記駐輪場サーバとはインターネットを介して接続され、前記借用者端末，前記搬送業者端末と前記付帯装置とは短距離無線通信を介して接続されることを特徴とする請求項５または６記載の駐輪場における自転車の有効活用システム。
【請求項８】
所有者端末と借用者端末と搬送業者端末と自転車付帯装置とにインターネットを介して接続される駐輪場サーバであって、
前記所有者端末から駐輪場に止めた自転車の使用許可条件を受信し登録する手段と、前記借用者端末から自転車の借用希望条件を受信する手段と、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する手段と、前記借用希望条件に乗り捨て情報が含まれていなかった場合に、前記借用希望条件に含まれる使用時間情報を満たす使用許可条件が登録されているかを照合する手段と、前記借用希望条件を満たす使用許可条件が登録されていた場合に、該当自転車を固定している前記自転車付帯装置の解錠用暗証番号を前記借用者端末に送信する手段と、借用者が自転車を乗り捨てたときに、前記自転車付帯装置から送られる乗り捨て位置情報を受信し、前記搬送業者端末に前記乗り捨て位置情報を送信して駐輪場までの搬送を依頼する手段とを有することを特徴とする駐輪場サーバ。
【請求項９】
借用者または搬送業者が駐輪場に自転車を返却したときに、前記自転車付帯装置から送られる返却位置情報を受信し、前記返却位置情報と駐輪場の位置情報とを照合する手段と、前記位置情報が一致した場合に自転車貸出料金の決済処理を行う手段とを、さらに有することを特徴とする請求項８記載の駐輪場サーバ。
【請求項１０】
所有者端末と、借用者端末と、搬送業者端末と、自転車付帯装置と、これら端末，装置とインターネットを介して接続される駐輪場サーバとを用いた、駐輪場における自転車の有効活用方法であって、
前記所有者端末が自転車の使用許可条件を前記駐輪場サーバに送信し登録する第１のステップと、前記借用者端末が自転車の借用希望条件を前記駐輪サーバに送信する第２のステップと、前記借用希望条件に乗り捨て予定場所，時刻が含まれていた場合に、前記駐輪場サーバが乗り捨て予定場所から駐輪場までの搬送所要時間を算出して駐輪場への返却時刻を推定し、この返却時刻を含む借用希望条件を満たす使用許可条件が登録されているかを照合する第３のステップと、前記借用希望条件に乗り捨て情報が含まれていなかった場合に、前記駐輪場サーバが前記借用希望条件に含まれる使用時間情報を満たす使用許可条件が登録されているかを照合する第４のステップと、前記借用希望条件を満たす使用許可条件が登録されていた場合に、該当自転車を固定している前記自転車付帯装置の解錠用暗証番号を前記駐輪場サーバから前記借用者端末に送信する第５のステップと、前記借用者端末から前記自転車付帯装置に前記暗証番号を送信することにより自動解錠する第６のステップと、借用者が自転車を乗り捨てるときに、前記借用者端末から前記自転車付帯装置に乗り捨て情報を送信し、前記自転車付帯装置が位置情報を取得して前記駐輪場サーバに送信する第７のステップと、前記駐輪場サーバが前記搬送業者端末に前記乗り捨て位置情報を送信して駐輪場までの搬送を依頼する第８のステップとを有することを特徴とする駐輪場における自転車の有効活用方法。
【請求項１１】
借用者または搬送業者が駐輪場に自転車を返却するときに、前記借用者端末または前記搬送業者端末から前記自転車付帯装置に返却情報を送信し、前記自転車付帯装置が位置情報を取得して前記駐輪場サーバに送信する第９のステップと、前記駐輪場サーバが前記返却位置情報と駐輪場の位置情報とを照合する第１０のステップと、前記位置情報が一致した場合に前記駐輪場サーバが自転車貸出料金の決済処理を行う第１１のステップとを、さらに有することを特徴とする請求項１０記載の駐輪場における自転車の有効活用方法。
【請求項１２】
自転車の所有者端末から駐輪場に止めた自転車の使用許可条件を受信し登録する機能、借用者端末から自転車の借用希望条件を受信する機能、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する機能、前記借用希望条件に乗り捨て情報が含まれていなかった場合に、前記借用希望条件に含まれる使用時間情報を満たす使用許可条件が登録されているかを照合する機能、前記借用希望条件を満たす使用許可条件が登録されていた場合に、該当自転車を固定している前記自転車付帯装置の解錠用暗証番号を前記借用者端末に送信する機能、借用者が自転車を乗り捨てたときに、前記自転車付帯装置から送られる乗り捨て位置情報を受信し、搬送業者端末に前記乗り捨て位置情報を送信して駐輪場までの搬送を依頼する機能、をコンピュータに実現させるためのプログラム。
【請求項１３】
自転車の所有者端末から駐輪場に止めた自転車の使用許可条件を受信し登録する機能、借用者端末から自転車の借用希望条件を受信する機能、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する機能、前記借用希望条件に乗り捨て情報が含まれていなかった場合に、前記借用希望条件に含まれる使用時間情報を満たす使用許可条件が登録されているかを照合する機能、前記借用希望条件を満たす使用許可条件が登録されていた場合に、該当自転車を固定している前記自転車付帯装置の解錠用暗証番号を前記借用者端末に送信する機能、借用者が自転車を乗り捨てたときに、前記自転車付帯装置から送られる乗り捨て位置情報を受信し、搬送業者端末に前記乗り捨て位置情報を送信して駐輪場までの搬送を依頼する機能、借用者または搬送業者が駐輪場に自転車を返却したときに、前記自転車付帯装置から送られる返却位置情報を受信し、前記返却位置情報と駐輪場の位置情報とを照合する機能、前記位置情報が一致した場合に自転車貸出料金の決済処理を行う機能、をコンピュータに実現させるためのプログラム。
【発明の詳細な説明】
【技術分野】
【０００１】
本発明は、通勤や通学等のために駐輪場に止めてある自転車の有効活用を図る、駐輪場における自転車の有効活用システム，方法，駐輪場サーバおよびプログラムに関する。
【背景技術】
【０００２】
駐輪場に止めてある自転車の有効活用を図った例としては、例えば、特開２００２−２５９８５２号公報（特許文献１）に記載された自転車利用仲介サービスがある。
【０００３】
この特許文献１においては、まず、駐輪後に貸し出し者が入庫時刻，出庫時刻を貸し出し情報としてサーバに登録する。その後、借用者が登録された貸し出し情報を参照し、使用可能な時間内で自身の使用開始時間，返却時間をサーバに入力し、使用料を支払う。これにより、借り受け証と自転車とが借用者に手渡される。そして、返却時刻になり、借用者が自転車を返却し、借り受け証をサーバに提出すると、返却済み情報が登録され、貸し出し者にインセンティブが与えられる。
【０００４】
【特許文献１】特開２００２−２５９８５２号公報（段落「０００９」〜「００１０」、図１）
【発明の開示】
【発明が解決しようとする課題】
【０００５】
しかし、上述した特許文献１に記載の発明においては、貸出処理が全自動化されておらず、例えば、借り受け証や自転車の手渡し等に駐輪場担当者の介在が必要であり、駐輪場に受付担当者を常駐させておかなければならないという問題がある。
【０００６】
また、特許文献１に記載の発明においては、駐輪場に止めてある自転車を借用し、使用後に同じ駐輪場に返却するという場合について記載されている。しかし、借用者としては、自転車を駅前等の駐輪場で借用して希望する場所で乗り捨てをしたい場合もあるが、そのような場合に対処できないという問題も有している。
【０００７】
本発明は、以上の問題の少なくともいずれかを解決する、駐輪場における自転車の有効活用システム，方法，駐輪場サーバおよびプログラムを提供することを目的とする。
【課題を解決するための手段】
【０００８】
本発明の第１の駐輪場における自転車の有効活用システムは、駐輪場に止めた自転車の所有者が所有者端末から自転車の使用許可条件を駐輪場サーバに登録する登録手段と、借用希望者が借用者端末から自転車の借用希望条件を前記駐輪場サーバに送信する申請手段と、前記駐輪場サーバが前記借用希望条件と前記使用許可条件とを照合する照合手段と、前記借用希望条件を満たす使用許可条件が登録されていた場合に、該当自転車を固定している付帯装置の解錠用暗証番号を前記駐輪場サーバから前記借用者端末に送信する暗証番号通知手段と、前記借用者端末から前記付帯装置に前記暗証番号を送信することにより自動解錠する解錠手段とを有する。
【０００９】
本発明の第２の駐輪場における自転車の有効活用システムは、本発明の第１の駐輪場における自転車の有効活用システムにおいて、借用者が駐輪場に自転車を返却するときに、前記借用者端末から前記付帯装置に返却情報を送信し、前記付帯装置が位置情報を取得して前記駐輪場サーバに送信する返却位置情報通知手段と、前記駐輪場サーバが前記返却位置情報と駐輪場の位置情報とを照合する返却確認手段と、前記位置情報が一致した場合に自転車貸出料金の決済処理を行う決済手段とを、さらに有する。
【００１０】
本発明の第３の駐輪場における自転車の有効活用システムは、本発明の第１の駐輪場における自転車の有効活用システムにおいて、前記照合手段は、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合することを特徴とする。
【００１１】
本発明の第４の駐輪場における自転車の有効活用システムは、本発明の第１，第２または第３の駐輪場における自転車の有効活用システムにおいて、前記所有者端末，前記借用者端末，前記付帯装置と前記駐輪場サーバとはインターネットを介して接続され、前記借用者端末と前記付帯装置とは短距離無線通信を介して接続されることを特徴とする。
【００１２】
本発明の第５の駐輪場における自転車の有効活用システムは、本発明の第１または第３の駐輪場における自転車の有効活用システムにおいて、借用者が自転車を乗り捨てるときに、前記借用者端末から前記付帯装置に乗り捨て情報を送信し、前記付帯装置が位置情報を取得して前記駐輪場サーバに送信する乗り捨て位置通知手段と、前記駐輪場サーバが搬送業者端末に前記乗り捨て位置情報を送信して駐輪場までの搬送を依頼する搬送指示手段とを、さらに有する。
【００１３】
本発明の第６の駐輪場における自転車の有効活用システムは、本発明の第５の駐輪場における自転車の有効活用システムにおいて、搬送業者が乗り捨て自転車を駐輪場に搬送し返却するときに、前記搬送業者端末から前記付帯装置に返却情報を送信し、前記付帯装置が位置情報を取得して前記駐輪場サーバに送信する返却位置情報通知手段と、前記駐輪場サーバが前記返却位置情報と駐輪場の位置情報とを照合する返却確認手段と、前記位置情報が一致した場合に自転車貸出料金の決済処理を行う決済手段とを、さらに有する。
【００１４】
本発明の第７の駐輪場における自転車の有効活用システムは、本発明の第５または第６の駐輪場における自転車の有効活用システムにおいて、前記所有者端末，前記借用者端末，前記搬送業者端末，前記付帯装置と前記駐輪場サーバとはインターネットを介して接続され、前記借用者端末，前記搬送業者端末と前記付帯装置とは短距離無線通信を介して接続されることを特徴とする。
【００１５】
本発明の第１の駐輪場サーバは、所有者端末と借用者端末と搬送業者端末と自転車付帯装置とにインターネットを介して接続される駐輪場サーバであって、
前記所有者端末から駐輪場に止めた自転車の使用許可条件を受信し登録する手段と、前記借用者端末から自転車の借用希望条件を受信する手段と、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する手段と、前記借用希望条件に乗り捨て情報が含まれていなかった場合に、前記借用希望条件に含まれる使用時間情報を満たす使用許可条件が登録されているかを照合する手段と、前記借用希望条件を満たす使用許可条件が登録されていた場合に、該当自転車を固定している前記自転車付帯装置の解錠用暗証番号を前記借用者端末に送信する手段と、借用者が自転車を乗り捨てたときに、前記自転車付帯装置から送られる乗り捨て位置情報を受信し、前記搬送業者端末に前記乗り捨て位置情報を送信して駐輪場までの搬送を依頼する手段とを有する。
【００１６】
本発明の第２の駐輪場サーバは、本発明の第１の駐輪場サーバにおいて、借用者または搬送業者が駐輪場に自転車を返却したときに、前記自転車付帯装置から送られる返却位置情報を受信し、前記返却位置情報と駐輪場の位置情報とを照合する手段と、前記位置情報が一致した場合に自転車貸出料金の決済処理を行う手段とを、さらに有する。
【００１７】
本発明の第１の駐輪場における自転車の有効活用方法は、所有者端末と、借用者端末と、搬送業者端末と、自転車付帯装置と、これら端末，装置とインターネットを介して接続される駐輪場サーバとを用いた、駐輪場における自転車の有効活用方法であって、
前記所有者端末が自転車の使用許可条件を前記駐輪場サーバに送信し登録する第１のステップと、前記借用者端末が自転車の借用希望条件を前記駐輪サーバに送信する第２のステップと、前記借用希望条件に乗り捨て予定場所，時刻が含まれていた場合に、前記駐輪場サーバが乗り捨て予定場所から駐輪場までの搬送所要時間を算出して駐輪場への返却時刻を推定し、この返却時刻を含む借用希望条件を満たす使用許可条件が登録されているかを照合する第３のステップと、前記借用希望条件に乗り捨て情報が含まれていなかった場合に、前記駐輪場サーバが前記借用希望条件に含まれる使用時間情報を満たす使用許可条件が登録されているかを照合する第４のステップと、前記借用希望条件を満たす使用許可条件が登録されていた場合に、該当自転車を固定している前記自転車付帯装置の解錠用暗証番号を前記駐輪場サーバから前記借用者端末に送信する第５のステップと、前記借用者端末から前記自転車付帯装置に前記暗証番号を送信することにより自動解錠する第６のステップと、借用者が自転車を乗り捨てるときに、前記借用者端末から前記自転車付帯装置に乗り捨て情報を送信し、前記自転車付帯装置が位置情報を取得して前記駐輪場サーバに送信する第７のステップと、前記駐輪場サーバが前記搬送業者端末に前記乗り捨て位置情報を送信して駐輪場までの搬送を依頼する第８のステップとを有する。
【００１８】
本発明の第２の駐輪場における自転車の有効活用方法は、本発明の第１の駐輪場における自転車の有効活用方法において、借用者または搬送業者が駐輪場に自転車を返却するときに、前記借用者端末または前記搬送業者端末から前記自転車付帯装置に返却情報を送信し、前記自転車付帯装置が位置情報を取得して前記駐輪場サーバに送信する第９のステップと、前記駐輪場サーバが前記返却位置情報と駐輪場の位置情報とを照合する第１０のステップと、前記位置情報が一致した場合に前記駐輪場サーバが自転車貸出料金の決済処理を行う第１１のステップとを、さらに有する。
【００１９】
本発明の第１のプログラムは、自転車の所有者端末から駐輪場に止めた自転車の使用許可条件を受信し登録する機能、借用者端末から自転車の借用希望条件を受信する機能、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する機能、前記借用希望条件に乗り捨て情報が含まれていなかった場合に、前記借用希望条件に含まれる使用時間情報を満たす使用許可条件が登録されているかを照合する機能、前記借用希望条件を満たす使用許可条件が登録されていた場合に、該当自転車を固定している前記自転車付帯装置の解錠用暗証番号を前記借用者端末に送信する機能、借用者が自転車を乗り捨てたときに、前記自転車付帯装置から送られる乗り捨て位置情報を受信し、搬送業者端末に前記乗り捨て位置情報を送信して駐輪場までの搬送を依頼する機能、をコンピュータに実現させる。
【００２０】
本発明の第２のプログラムは、自転車の所有者端末から駐輪場に止めた自転車の使用許可条件を受信し登録する機能、借用者端末から自転車の借用希望条件を受信する機能、前記借用希望条件に乗り捨て予定場所，時刻が含まれていた場合に、乗り捨て予定場所から駐輪場までの搬送所要時間を算出して駐輪場への返却時刻を推定し、この返却時刻を含む借用希望条件を満たす使用許可条件が登録されているかを照合する機能、前記借用希望条件に乗り捨て情報が含まれていなかった場合に、前記借用希望条件に含まれる使用時間情報を満たす使用許可条件が登録されているかを照合する機能、前記借用希望条件を満たす使用許可条件が登録されていた場合に、該当自転車を固定している前記自転車付帯装置の解錠用暗証番号を前記借用者端末に送信する機能、借用者が自転車を乗り捨てたときに、前記自転車付帯装置から送られる乗り捨て位置情報を受信し、搬送業者端末に前記乗り捨て位置情報を送信して駐輪場までの搬送を依頼する機能、借用者または搬送業者が駐輪場に自転車を返却したときに、前記自転車付帯装置から送られる返却位置情報を受信し、前記返却位置情報と駐輪場の位置情報とを照合する機能、前記位置情報が一致した場合に自転車貸出料金の決済処理を行う機能、をコンピュータに実現させる。
【発明の効果】
【００２１】
本発明は、自転車の貸出処理を端末やサーバによるコンピュータ自動処理により行うようにしたため、貸し出しにあたり駐輪場担当者の介在が不要になり、駐輪場に受付担当者を常駐させておく必要がないという効果がある。
【発明を実施するための最良の形態】
【００２２】
本発明を実施するための最良の形態について図面を参照して詳細に説明する。
【００２３】
図１は、本発明を実施するための最良の形態の構成を示す図である。図１を参照すると、本発明は、所有者端末１と、自転車付帯装置２と、駐輪場サーバ３と、借用者端末４と、搬送業者端末５と、金融機関サーバ６と、これらを接続するインターネット７とを備えている。
【００２４】
所有者端末１は、自転車の持ち主が保有する携帯電話機，ＰＨＳ（Ｐersonal Ｈandyphone Ｓystem），ＰＤＡ（Ｐersonal Ｄigital Ａssistance）等の携帯端末や、パーソナルコンピュータ等の情報処理装置である。この所有者端末１は、インターネット７を介して駐輪場サーバ３にアクセスする機能を備えている。
【００２５】
自転車付帯装置２は、自転車を駐輪場等の固定用構造物（例えば、柱やポール等）に固定するための装置である。この自転車付帯装置２は、盗難防止のためのロック機構（例えば、錠）と、錠を施錠，解錠する機能と、位置情報を取得するＧＰＳ機能と、インターネット７を介して駐輪場サーバ３にアクセスする機能と、借用者端末４や搬送業者端末５との間で赤外線，ブルートゥース等の短距離無線通信を行う機能とを備えている。この自転車付帯装置２の形状については特に限定しないが、例えば、施錠によりリング状になるようなものでもよい。なお、この自転車付帯装置２には、予め暗証番号と使用開始コード，乗り捨てコード，返却コードが設定，記憶されており、暗証番号と各コードとの組み合わせによる動作がなされるようプログラム制御されている。
【００２６】
駐輪場サーバ３は、自転車の駐輪場に設置されたサーバ・ワークステーション等の情報処理装置であり、制御部３１と、記憶装置３２とを備えている。
【００２７】
制御部３１は、例えばＣＰＵ等の制御装置であり、次の機能を備えている。なお、制御部３１は、図示していない記憶手段に記憶されたプログラムにより制御される。
・所有者端末１からの使用許可情報を受信して登録する機能。
・借用者端末４からの借用申請を受信し、貸し出し可否を判定する機能。
・貸し出し可の場合に、必要な情報を借用者端末４に送信する機能。
・乗り捨ての場合に、搬送業者端末５に搬送を依頼する機能。
・自転車貸し出し料金の決済を行う機能。
【００２８】
記憶装置３２は、ユーザ情報データベース３２１と、暗証番号・駐輪情報データベース３２２と、使用許可情報データベース３２３と、貸出情報データベース３２４と、地図情報データベース３２５とを含んでいる。
【００２９】
ユーザ情報データベース３２１には、図２（ユーザ情報データベース３２１に格納されるデータの一例を示す図）に示すようなデータが格納される。格納データは、ユーザＩＤ，氏名，住所，電話番号，決済口座情報等である。これらのデータは、自転車の所有者，借用者ともに予め登録しておくものとする。自転車の所有者は、例えば駐輪場との駐輪契約時に登録しておき、登録データは毎月の駐輪場料金の支払決済時や、自転車貸出料金の入金決済時に利用される。自転車の借用者は、初めて借用する時に登録しておき、登録データは貸出料金の支払決済時に利用される。なお、決済口座情報（銀行名，支店名，預金口座番号等）の登録にあたっては、金融機関に照会し正当な口座であることを確認後に登録するものとする。
【００３０】
暗証番号・駐輪情報データベース３２２には、図３（暗証番号・駐輪情報データベース３２２に格納されるデータの一例を示す図）に示すようなデータが予め格納される。格納データは、駐輪場の各駐輪位置番号に対応した、自転車付帯装置２の錠の暗証番号，ユーザＩＤ（駐輪場と駐輪契約を交わしている自転車所有者のユーザＩＤ）等である。この暗証番号は自転車付帯装置２毎に異なる番号が登録されている。
【００３１】
使用許可情報データベース３２３には、駐輪場サーバ３が所有者端末１から使用許可情報を受信したときに、図４（使用許可情報データベース３２３に格納されるデータの一例を示す図）に示すようなデータが格納される。格納データは、貸し出し者（自転車所有者）のユーザＩＤ，使用許可時間，自転車付帯装置２の錠の暗証番号等である。
【００３２】
貸出情報データベース３２４には、駐輪場サーバ３が借用申請を受信して貸し出し可能と判定した場合に、図５（貸出情報データベース３２４に格納されるデータの一例を示す図）に示すようなデータが格納される。格納データは、借用ユーザＩＤ，貸出ユーザＩＤ，暗証番号，使用許可時間，乗り捨ての有無，乗り捨て予定時刻，乗り捨て予定場所，自転車の状態（貸出予約済み／貸出中／乗り捨て済／返却済）である。
【００３３】
地図情報データベース３２５は、駐輪場サーバ３が乗り捨て地から駐輪場までの搬送時間を算出する場合に、両地点間の距離を算出するために用いられ、位置情報や距離情報等の公知の地図関連情報が格納されている。
【００３４】
借用者端末４は、自転車の借用を希望するユーザが保有する携帯電話機，ＰＨＳ，ＰＤＡ等の携帯端末である。この借用者端末４は、インターネット７を介して駐輪場サーバ３にアクセスする機能と、自転車付帯装置２との間で赤外線，ブルートゥース等の短距離無線通信を行う機能とを備えている。
【００３５】
搬送業者端末５は、搬送業者が保有する携帯電話機，ＰＨＳ，ＰＤＡ等の携帯端末である。この搬送業者端末５は、インターネット７を介して駐輪場サーバ３から搬送指示情報を受信する機能と、自転車付帯装置２との間で赤外線，ブルートゥース等の短距離無線通信を行う機能とを備えている。
【００３６】
金融機関サーバ６は、駐輪場サーバ３からの決済要求情報を基に、自転車貸出料金を借用者の口座から引き落として所有者の口座に振り込む機能を備えている。
【００３７】
次に、本発明を実施するための最良の形態の動作について図面を参照して説明する。
【００３８】
最初に、自転車借用申請者に対して貸し出し可否判定を行い判定結果を通知するまでの動作について、図１〜図６を参照して説明する。図６は、自転車借用申請者に対して貸し出し可否判定を行い判定結果を通知するまでの動作を示すフローチャートである。
【００３９】
図６を参照すると、まず所有者は、自転車付帯装置２により自転車と駐輪場の各駐輪場所に設けられた駐輪用構造物とを繋ぎ、自転車付帯装置２に備えられた錠を施錠することにより自転車を駐輪場に駐輪する。なお、本発明においては、自転車自体に備えられている鍵は解錠した状態とする（ステップＡ１）。駐輪した後、所有者は所有者端末１からインターネット７を介して駐輪場サーバ３にアクセスし、自身のユーザＩＤ，使用許可時間を入力して送信する（ステップＡ２）。駐輪場サーバ３の制御部３１は、受信したユーザＩＤを基に暗証番号・駐輪情報データベース３２２から該当する自転車付帯装置２の暗証番号を検索，取得し、受信したユーザＩＤ，使用許可時間とともに、図４に示すように使用許可情報データベース３２３に登録する（ステップＡ３）。
【００４０】
次に、自転車の借用を希望する借用者は借用者端末４からインターネット７を介して駐輪場サーバ３にアクセスし、画面上の申請フォーマットに従い、自身のユーザＩＤ，使用申請時間（使用開始時刻，使用終了時刻），乗り捨ての有無，乗り捨て予定時刻，乗り捨て予定場所等の使用申請情報を入力し、駐輪場サーバ３に送信する。乗り捨て予定時刻，乗り捨て予定場所については、乗り捨てを行う場合のみ入力する（ステップＡ４）。
【００４１】
駐輪場サーバ３の制御部３１は、使用申請情報を受信すると、まず乗り捨ての有無を確認する（ステップＡ５）。乗り捨て希望であった場合、制御部３１は、図示しない記憶部に格納されている駐輪場の位置情報または地域名と、受信した乗り捨て予定場所（例えば、地域名等）とを基に、地図情報データベース３２５から両地点間の距離を求め、所定の速度で搬送した場合の搬送時間を算出する。そして、制御部３１は、受信した乗り捨て予定時刻に算出した搬送時間を加え、駐輪場への返却予定時刻を取得する（ステップＡ６）。
【００４２】
次に、制御部３１は、使用申請時間の使用開始時刻とステップＡ６で算出した返却予定時刻の両方を満足する使用許可情報が登録されているかを、使用許可情報データベース３２３を検索して確認する。なお、ステップＡ５において乗り捨て希望が無かった場合、すなわち、駐輪場に返却する場合は、制御部３１は受信した使用申請時間の使用開始時刻，使用終了時刻の両方を満足する使用許可情報が登録されているかを、使用許可情報データベース３２３を検索して確認する（ステップＡ７）。
【００４３】
ステップＡ７において、使用条件を満足する使用許可情報が登録されていなかった場合は、制御部３１は使用申請情報を満足する自転車が無い旨を、インターネット７を介して借用者端末４に送信する（ステップＡ８）。
【００４４】
ステップＡ７において、使用条件を満足する使用許可情報が登録されていた場合は、制御部３１は、使用申請情報および使用許可情報を基に貸出情報データベース３２４に図５に示すような貸出情報を登録する。このとき、状態は「予約済」と登録される（ステップＡ９）。そして、制御部３１は、貸出情報として登録した使用許可情報を使用許可情報データベース３２３から削除する（ステップＡ１０）。次に、制御部３１は、暗証番号をキーにして暗証番号・駐輪情報データベース３２２から駐輪位置番号を取得し、暗証番号，使用開始コード，乗り捨てコード，返却コードとともに、インターネット７を介して借用者端末４に送信する。ここで、暗証番号は各自転車付帯装置２毎に異なるが、使用開始コード，乗り捨てコード，返却コードは全ての自転車付帯装置２に共通であり、これらのコードは予め各自転車付帯装置２や駐輪場サーバ３に設定，記憶されている（ステップＡ１１）。
【００４５】
借用者は、受信した駐輪位置番号の場所に行き、借用者端末４から使用開始コ−ドと暗証番号を赤外線，ブルートゥース等の短距離無線通信により、自転車付帯装置２に送信する（ステップＡ１２）。自転車付帯装置２は受信した暗証番号が内部に登録された暗証番号と一致するかを照合し、一致した場合は、暗証番号と一緒に受信したコードが使用開始コードであることを認識し、錠を解錠する（ステップＡ１３）。そして、自転車付帯装置２は、受信した使用開始コードと暗証番号とを、インターネット７を介して駐輪場サーバ３に転送する。なお、駐輪場サーバ３のアドレスは予め自転車付帯装置２内部に記憶されている（ステップＡ１４）。
【００４６】
使用開始コードと暗証番号を受信した駐輪場サーバ３の制御部３１は、貸出情報データベース３２４において暗証番号に対応する貸出情報の状態を、「予約済」から「貸出中」に更新する（ステップＡ１５）。
【００４７】
以上説明したように、本発明は自転車の貸出処理を自動化しており、貸し出しのために駐輪場に受付担当者を常駐させておく必要がなくなるという効果を有している。
【００４８】
次に、借用者が自転車の貸し出しを受けた後、駐輪場に返却されるまでの動作について、図１，図２，図５および図７を参照して説明する。図７は、借用者が貸し出しを受けた後、自転車が駐輪場に返却されるまでの動作を示すフローチャートであり、乗り捨ての場合と、駐輪場に返却する場合の両方の動作が示されている。
【００４９】
最初に、乗り捨ての場合について説明する。
【００５０】
借用者は、駐輪場で借用した自転車を目的地まで使用し、目的地で自転車を自転車付帯装置２により付近の柱やポール等の固定構造物に繋ぎ、盗難防止用の錠を施錠する。そして、借用者は、借用者端末４から乗り捨てコードと暗証番号を入力し、赤外線，ブルートゥース等の短距離無線通信により自転車付帯装置２に送信する（ステップＢ１）。
【００５１】
自転車付帯装置２は、受信した暗証番号が内部に登録された暗証番号と一致するかを照合し、一致した場合は、暗証番号と一緒に受信したコードが乗り捨てコードであることを認識する。そして、乗り捨てコードと暗証番号の組み合わせに応じた以下の動作を行う。まず、自転車付帯装置２は内蔵するＧＰＳ機能により現在地の位置情報を取得する（ステップＢ２）。次に、自転車付帯装置２は、取得した位置情報と受信した乗り捨てコード，暗証番号とを、インターネット７を介して駐輪場サーバ３に送信する（ステップＢ３）。
【００５２】
駐輪場サーバ３の制御部３１は、受信したコードが乗り捨てコードであることを認識し、予め記憶している搬送業者端末５のアドレスを参照し、インターネット７を介して搬送業者端末５に対して、「○○時までに当駐輪場の自転車を乗り捨て場所□□から当駐輪場の駐輪位置番号△△まで搬送せよ。解錠用暗証番号はＸＸＸＸ、返却コードはＹＹＹＹ。」と指示する。このとき、制御部３１は受信した暗証番号から貸出情報データベース３２４に格納されている該当貸出情報を検索し、使用許可時間の使用終了時刻○○時を取得するとともに、暗証番号から暗証番号・駐輪情報データベース３２２に格納されている駐輪位置番号△△を取得する。また、乗り捨て場所□□の位置情報は、自転車付帯装置２から受信したＧＰＳ情報のままでもよいし、地図情報データベース３２５から検索した住所，地域名等の位置情報でもよい（ステップＢ４）。そして、制御部３１は、貸出情報データベース３２４において暗証番号に対応する貸出情報の状態を「貸出中」から「乗り捨て済」に更新する（ステップＢ５）。
【００５３】
搬送業者は、搬送業者端末５が受信した乗り捨て場所まで出向き、駐輪場名が表示された自転車付帯装置２に繋がれている乗り捨て自転車を発見する。そして、搬送業者は、搬送業者端末５から暗証番号を入力し、赤外線，ブルートゥース等の短距離無線通信により自転車付帯装置２に送信する（ステップＢ６）。自転車付帯装置２は、受信した暗証番号が内部に登録された暗証番号と一致するかを照合し、一致した場合は、暗証番号と一緒に受信したコードが無いことから、錠を解錠する動作を行う（ステップＢ７）。
【００５４】
搬送業者は解錠された自転車付帯装置２を外し、自転車を駐輪場まで搬送する。そして、駐輪場の指定された駐輪番号の位置に自転車を置き、自転車付帯装置２により駐輪場の固定構造物に自転車を繋ぎ、施錠する。その後、搬送業者は搬送業者端末５から返却コードと暗証番号を入力し、赤外線，ブルートゥース等の短距離無線通信により自転車付帯装置２に送信する（ステップＢ８）。
【００５５】
自転車付帯装置２は、受信した暗証番号が内部に登録された暗証番号と一致するかを照合し、一致した場合は、暗証番号と一緒に受信したコードが返却てコードであることを認識する。そして、返却コードと暗証番号の組み合わせに応じた以下の動作を行う。まず、自転車付帯装置２は内蔵するＧＰＳ機能により現在地の位置情報を取得する（ステップＢ９）。次に、自転車付帯装置２は、取得した位置情報と受信した返却コード，暗証番号とを、インターネット７を介して駐輪場サーバ３に送信する（ステップＢ１０）。
【００５６】
駐輪場サーバ３の制御部３１は、受信したコードが返却コードであることを認識し、受信した位置情報が予め記憶された駐輪場の位置情報であることを照合，確認することにより、自転車が返却されたことを認識する。そして、制御部３１は、貸出情報データベース３２４において暗証番号に対応する貸出情報の状態を「返却済」に更新する（ステップＢ１１）。
【００５７】
ステップＢ１１において自転車の返却を確認後、駐輪場サーバ３０の制御部３１は、予め設定された自転車貸出料金の精算をインターネット７を介して金融機関サーバ６に指示する。このとき、制御部３１は、図５の貸出情報に含まれる借用ユーザＩＤ，貸出ユーザＩＤをキーにユーザ情報データベース３２１から各々の決済口座情報を取得し、料金情報とともに金融機関サーバ６に送信する。金融機関サーバ６は、借用者の預金口座から貸出料金分を自動引き落としして貸出者（所有者）の預金口座に振り込み、決済が完了する（ステップＢ１２）。
【００５８】
次に、自転車を使用後に借用者が駐輪場に返却する場合の動作について説明する。
【００５９】
借用者は、駐輪場に着くと、ステップＡ１１で受信した駐輪番号の位置に自転車を置き、自転車付帯装置２により駐輪場の固定構造物に自転車を繋ぎ、施錠する。その後、借用者は借用者端末４から返却コードと暗証番号を入力し、赤外線，ブルートゥース等の短距離無線通信により自転車付帯装置２に送信する（ステップＢ１３）。
【００６０】
この後のステップＢ９〜ステップＢ１２の動作については、乗り捨て時の動作で説明したものと同じであるため、重複説明を省略する。
【００６１】
以上、図７のフローチャートで説明した通り、本発明は、乗り捨ての場合に自転車付帯装置２により乗り捨て位置情報を取得して駐輪場サーバ３に送り、駐輪場サーバ３から搬送業者端末に駐輪場への回収依頼を自動で行うようにしたため、予め決められた場所に限定されず、ユーザの希望する場所における乗り捨てに対応できるという効果を有している。
【００６２】
また、駐輪場への返却時にも、自転車付帯装置２により返却位置情報を取得して駐輪場サーバ３に送り、駐輪場サーバ３が駐輪場に返却されたことを自動確認するようにしている。これと上述した図６のフローチャートによる貸出処理の自動化と合わせると、貸し出しから返却までを端末，サーバによる自動処理で行っているため、駐輪場の受付担当者を必要としないという効果を有している。
【図面の簡単な説明】
【００６３】
【図１】本発明を実施するための最良の形態の構成を示す図である。
【図２】ユーザ情報データベース３２１に格納されるデータの一例を示す図である。
【図３】暗証番号・駐輪情報データベース３２２に格納されるデータの一例を示す図である。
【図４】使用許可情報データベース３２３に格納されるデータの一例を示す図である。
【図５】貸出情報データベース３２４に格納されるデータの一例を示す図である。
【図６】自転車借用申請者に対して貸し出し可否判定を行い判定結果を通知するまでの動作を示すフローチャートである。
【図７】借用者が貸し出しを受けた後、自転車が駐輪場に返却されるまでの動作を示すフローチャートである。
【符号の説明】
【００６４】
１    所有者端末
２    自転車付帯装置
３    駐輪場サーバ
３１    制御部
３２    記憶装置
３２１    ユーザ情報データベース
３２２    暗証番号・駐輪情報データベース
３２３    使用許可情報データベース
３２４    貸出情報データベース
３２５    地図情報データベース
４    借用者端末
５    搬送業者端末
６    金融機関サーバ
７    インターネット
【図１】
2005173993.tif 000003
【図２】
2005173993.tif 000004
【図３】
2005173993.tif 000005
【図４】
2005173993.tif 000006
【図５】
2005173993.tif 000007
【図６】
2005173993.tif 000008
【図７】
2005173993.tif 000009